(57)【要約】【課題】電気的特性の劣化を引き起こすことなく、機械的強度やロック強度を向上できるコネクタを提供すること。【解決手段】相手側コネクタに第１の方向で嵌合するための被嵌合部と、被嵌合部を覆った導電性のシェルとを備えたコネクタにおいて、シェルに、第１の方向に交差する第２の方向にシェルから延びるフランジと、フランジから延出した被ロック部とを備える。コネクタを取付対象物に取り付ける際に、フランジを取付対象物の一面に第１の方向で対向させるとともに、被ロック部を第１の方向で取付対象物を貫通させて反対面から突出させる。【選択図】図１
2011090893.tif 000002
【特許請求の範囲】
【請求項１】
相手側コネクタに第１の方向で嵌合するための被嵌合部と、前記被嵌合部を覆った導電性のシェルとを含み、前記シェルは、前記第１の方向と交差する第２の方向に延設され、取付対象物に前記第１の方向で対向するフランジと、前記第１の方向で前記取付対象物を貫通する向きにのび、前記相手側コネクタと前記第１の方向で係合するための被ロック部とを有することを特徴とするコネクタ。
【請求項２】
前記フランジは、前記被嵌合部から見て外側に延設され、前記被ロック部は前記フランジから延設されている、請求項１に記載のコネクタ。
【請求項３】
前記嵌合部は、導電性のコンタクトと、前記コンタクトを保持した絶縁性のハウジングとを含み、前記シェルは、前記コンタクト及び前記ハウジングを覆ったシェル本体をさらに有し、前記フランジは、前記シェル本体の前記第１の方向の前記相手側コネクタと対向する一端からのびている、請求項１又は２に記載のコネクタ。
【請求項４】
前記被ロック部は、前記フランジの前記取付対象物に対向する面から突出した対の被ロック片を有し、前記対の被ロック片の各々は、前記相手側コネクタと前記第１の方向で係合可能な被係止部を有するものである、請求項１−３のいずれか一項に記載のコネクタ。
【請求項５】
前記被ロック部は、前記フランジの前記取付対象物に対向する面から突出した一つの被ロック片を有し、前記被ロック片は、前記相手側コネクタと前記第１の方向でそれぞれ係合可能な対の被係止部を有するものである、請求項１−３のいずれか一項に記載のコネクタ。
【請求項６】
前記フランジを前記取付対象物に固定するための固定手段をさらに含む、請求項１−５のいずれか一項に記載のコネクタ。
【請求項７】
請求項１−６に記載のコネクタに接続するための相手側コネクタであって、前記被嵌合部に嵌合するための嵌合部と、前記第２の方向で前記嵌合部の外側に位置した、前記被ロック部に係合するためのロック部とを含むことを特徴とする相手側コネクタ。
【請求項８】
取付対象物に固定されたコネクタであって、相手側コネクタに第１の方向で嵌合するための被嵌合部と、前記被嵌合部を覆った導電性のシェルとを含み、前記シェルは、前記第１の方向と交差する第２の方向にのびかつ前記取付対象物の一面に前記第１の方向で対向したフランジと、前記フランジから前記第１の方向で前記取付対象物を貫通して反対面から突出した、前記相手側コネクタと係合するための被ロック部とを有することを特徴とするコネクタ。
【請求項９】
請求項８に記載のコネクタに接続するための相手側コネクタであって、前記被嵌合部に嵌合するための嵌合部と、前記第２の方向で前記嵌合部の外側に位置した、前記被ロック部に係合するためのロック部とを含むことを特徴とする相手側コネクタ。
【発明の詳細な説明】
【技術分野】
【０００１】
本発明は、コネクタに関し、特に、接続状態をロックできるロック構造を備えたコネクタに関する。
【背景技術】
【０００２】
特許文献１に示すように、この種のコネクタにおけるロック構造は、コネクタの接続部分即ち嵌合部の内側に備えられる。しかし、ロック構造を嵌合部の内部に備えると、小型のコネクタの場合にロック構造の寸法が極めて小さくなってしまう。そのため、ロック構造を構成するロック部品に十分な機械的強度を保持することが難しく、その上、必要なロック強度を得ることも難しい。
【０００３】
また、ロック部品の強度をあげるためにコネクタの嵌合部の外側にロック構造を備えることもある。しかし、その場合にはコネクタを備える機器などのパネルに大きな開口を形成することが必要になり、ロック部を備えていないコネクタとロック部を備えたコネクタの両方に対応しようとすると、ロック部を備えていないコネクタの場合にはパネルの開口が余分に開いているため、電気的特性の劣化が生じてしまう虞がある。
【０００４】
またパネルへ取り付けるためのフランジを備えたコネクタでは、ロック部を備えたコネクタはなかった。
【先行技術文献】
【特許文献】
【０００５】
【特許文献１】特開２００８−１７７１０２号公報
【発明の概要】
【発明が解決しようとする課題】
【０００６】
それ故に本発明の課題は、電気的特性の劣化を引き起こすことなく、機械的強度やロック強度を向上できるコネクタを提供することにある。
【課題を解決するための手段】
【０００７】
本発明の一態様によれば、相手側コネクタに第１の方向で嵌合するための被嵌合部と、前記被嵌合部を覆った導電性のシェルとを含み、前記シェルは、前記第１の方向と交差する第２の方向に延設され、取付対象物に前記第１の方向で対向するフランジと、前記第１の方向で前記取付対象物を貫通する向きにのび、前記相手側コネクタと前記第１の方向で係合するための被ロック部とを有することを特徴とするコネクタが得られる。
【０００８】
前記フランジは、前記被嵌合部から見て外側に延設され、前記被ロック部は前記フランジから延設されていてもよい。
【０００９】
前記嵌合部は、導電性のコンタクトと、前記コンタクトを保持した絶縁性のハウジングとを含み、前記シェルは、前記コンタクト及び前記ハウジングを覆ったシェル本体をさらに有し、前記フランジは、前記シェル本体の前記第１の方向の前記相手側コネクタと対向する一端からのびていてもよい。
【００１０】
前記被ロック部は、前記フランジの前記取付対象物に対向する面から突出した対の被ロック片を有し、前記対の被ロック片の各々は、前記相手側コネクタと前記第１の方向で係合可能な被係止部を有するものであってもよい。
【００１１】
前記被ロック部は、前記フランジの前記取付対象物に対向する面から突出した一つの被ロック片を有し、前記被ロック片は、前記相手側コネクタと前記第１の方向でそれぞれ係合可能な対の被係止部を有するものであってもよい。
【００１２】
前記フランジを前記取付対象物に固定するための固定手段をさらに含んでもよい。
【００１３】
本発明の他の態様によれば、上述したコネクタに接続するための相手側コネクタであって、前記被嵌合部に嵌合するための嵌合部と、前記第２の方向で前記嵌合部の外側に位置した、前記被ロック部に係合するためのロック部とを含むことを特徴とする相手側コネクタが得られる。
【００１４】
本発明のさらに他の態様によれば、取付対象物に固定されたコネクタであって、相手側コネクタに第１の方向で嵌合するための被嵌合部と、前記被嵌合部を覆った導電性のシェルとを含み、前記シェルは、前記第１の方向と交差する第２の方向にのびかつ前記取付対象物の一面に前記第１の方向で対向したフランジと、前記フランジから前記第１の方向で前記取付対象物を貫通して反対面から突出した、前記相手側コネクタと係合するための被ロック部とを有することを特徴とするコネクタが得られる。
【００１５】
本発明のさらに他の態様によれば、直前に記載のコネクタに接続するための相手側コネクタであって、前記被嵌合部に嵌合するための嵌合部と、前記第２の方向で前記嵌合部の外側に位置した、前記被ロック部に係合するためのロック部とを含むことを特徴とする相手側コネクタが得られる。
【発明の効果】
【００１６】
本発明の各態様によるコネクタは、嵌合部や被嵌合部の大きさに依存することなくロックの構造を構築することを可能にするため、電気的特性の劣化を引き起こすことなく、機械的強度やロック強度を向上でき、パネルへ取り付けるためのフランジを備えたコネクタを提供することが可能になる。
【図面の簡単な説明】
【００１７】
【図１】本発明の一実施形態に係る接続装置の斜視図である。
【図２】図１の接続装置の側面図である。
【図３】図１の接続装置に含まれたプラグの斜視図である。
【図４】図１及び図２に示す接続装置に含まれたプラグの斜視図である。
【図５】図４のプラグの正面図である。
【図６】図４のプラグの側面図である。
【図７】図１及び図２に示す接続装置に含まれたレセプタクルを取付対象物に取り付けた状態で示す斜視図である。
【図８】図７の状態のレセプタクルの正面図である。
【図９】図４の状態のレセプタクルの側面図である。
【図１０】本発明の他の実施形態に係る接続装置の斜視図である。
【図１１】図１０の接続装置の側面図である。
【図１２】図１０の接続装置に含まれたプラグの斜視図である。
【図１３】本発明のさらに他の実施形態に係る接続装置の正面図及び側面図である。
【発明を実施するための形態】
【００１８】
図１〜図９を参照して、本発明の一実施形態に係る接続装置について説明する。
【００１９】
図１及び図２に示す接続装置は、相手側コネクタとしてのプラグ１と、第１の方向Ａ１においてプラグ１と接続・離脱可能な本コネクタとしてのレセプタクル２とを含んでいる。なお、レセプタクル２は、基板３上に設置されかつ取付対象物である機器筐体などのパネル４に固定されている。
【００２０】
図３〜図６において、プラグ１は、嵌合部５と、第１の方向Ａ１に対し直交する第２の方向Ａ２における嵌合部５の外側に位置した対のロックレバー６とを含んでいる。嵌合部５は、絶縁性のプラグ側内部ハウジング７と、プラグ側内部ハウジング７の内側に、第１及び第２の方向Ａ１、Ａ２に直交する第３の方向Ａ３に配列された複数の導電性のプラグ側コンタクト８と、プラグ側内部ハウジング７の外側を覆った角筒型の導電性のプラグ側シェル９とを含んでいる。
【００２１】
プラグ１は、さらに、嵌合部５を収容保持した絶縁性のプラグ側外部ハウジング１１を含んでいる。プラグ側コンタクト８にはシールドケーブル（図示せず）の電線が接続され、かつシールドケーブルはプラグ１外に引き出されている。プラグ側シェル９は、シールドケーブルのシールド線に接続される。
【００２２】
対のロックレバー６の各々は導電性及び弾力性を有し、プラグ側外部ハウジング１１内に配置されかつプラグ側シェル９に電気的及び機械的に接続されている。対のロックレバー６は先端部にプラグ１と第１の方向Ａ１で係合可能な係合爪１３をそれぞれ備えている。それらの係合爪１３はいずれもプラグ側外部ハウジング１１の内側に位置している。一方、嵌合部５は第１の方向Ａ１においてプラグ側外部ハウジング１１の外側に突出している。なお、対のロックレバー６を纏めてここではロック部と呼ぶ。
【００２３】
図７〜図９において、レセプタクル２は、第１の方向Ａ１で嵌合部５と嵌合可能な被嵌合部１４と、被嵌合部１４を覆った導電性のレセプタクル側シェル１５とを含んでいる。被嵌合部１４は、絶縁性のレセプタクル側ハウジング１６と、レセプタクル側ハウジング１６に第３の方向Ａ３に配列された複数の導電性のレセプタクル側コンタクト１７とを含んでいる。レセプタクル側コンタクト１７の少なくとも一つは、基板３のアース回路（図示せず）に接続される。
【００２４】
レセプタクル側シェル１５は、シェル本体１８の第１の方向Ａ１における一端から第２の方向Ａ２にのびたフランジ１９を一体に有している。フランジ１９は、パネル４の一面即ち背面に第１の方向Ａ１で対向させられ、かつボルト２１及びナット２２によりパネル４にしっかりと固定される。
【００２５】
レセプタクル側シェル１５は、さらに、フランジ１９の第３の方向Ａ３における両縁から第１の方向Ａ１にのびた互いに平行な対のロック片２３を含んでいる。各ロック片２３は第１及び第２の方向Ａ１、Ａ２に広がった板状を呈し、パネル４に形成された接続用開口２４の一側でパネル４を貫通し、パネル４の反対面即ち前面から突出している。対のロック片２３のパネル４の反対面に突出した部分には、第３の方向Ａ３に貫通した係合口２５がそれぞれ形成されている。なお、対のロック片２３を纏めてここでは被ロック部と呼ぶ。
【００２６】
次に、上述した接続装置の作用について説明する。
【００２７】
パネル４の背面に固定されたレセプタクル２はその嵌合部１４がパネル４の接続用開口２４に対向するように位置付けられている。プラグ１をレセプタクル２に接続するには、プラグ１の嵌合部５をパネル４の前面側から接続用開口２４を通してレセプタクル２の嵌合部１４に嵌合させる。これにより、プラグ側コンタクト８とレセプタクル側コンタクト１７とが接触し、プラグ１とレセプタクル２とが電気的に接続された所望の状態が得られる。
【００２８】
プラグ１とレセプタクル２との接続が所望の状態になると、プラグ側外部ハウジング１１がロック片２３のパネル４から突出した部分を覆うことになる。それと共に、ロックレバー６の係合爪１３がロック片２３の係合口２５の口縁に第１の方向Ａ１で係合し、その結果、レセプタクル２からのプラグ１の離脱が阻止される。即ち、プラグ１とレセプタクル２とが機械的に接続される。
【００２９】
また、プラグ側外部ハウジング１１の一部に形成した操作レバー２６を押圧操作することにより、ロックレバー６とロック片２３との係合を解除することができる。したがって、プラグ１をレセプタクル２から離脱させることは容易に可能である。
【００３０】
図１〜図９を用いて説明した接続装置によると、ロックレバー６及びロック片２３はいずれもコネクタの接続部分である嵌合部５及び被嵌合部１４の外側に備えられているので、小型のコネクタの場合でも、これらの機械的強度やロック強度を向上させることが容易である。しかも、パネル４に形成される接続用開口２４の寸法を必要最小限に抑えることで電気的特性の劣化を防止することもできる。
【００３１】
図１０〜図１２を参照して、本発明の他の実施形態に係る接続装置について説明する。前述と同様な部分については、同じ参照符号を付して説明を省略する。
【００３２】
図１０及び図１１に示す接続装置において、レセプタクル側シェル１５は、フランジ１９の第２の方向Ａ２における先端縁から第１の方向Ａ１にのびた一枚のロック片２７を含んでいる。ロック片２７は第１及び第３の方向Ａ１、Ａ３に広がった板状を呈し、パネル４に形成された接続用開口２４の一側でパネル４を貫通し、パネル４の反対面即ち前面から突出している。ロック片２７のパネル４の反対面に突出した部分には、第２の方向Ａ２に貫通した２つの係合口２８が形成されている。なお、係合口２８は一つでも良く、係合口２８の数はいくつでも良い。
【００３３】
パネル４の背面に固定されたレセプタクル２の嵌合部１４がパネル４の接続用開口２４に対向するように位置付けられる点は、図１〜図９を用いて説明した接続装置と同様である。また同様に、プラグ１の嵌合部５をパネル４の前面側から接続用開口２４を通してレセプタクル２の嵌合部１４に嵌合させると、プラグ１とレセプタクル２とが電気的に接続された所望の状態が得られる。
【００３４】
プラグ１とレセプタクル２との接続が所望の状態になると、プラグ側外部ハウジング１１がロック片２７のパネル４から突出した部分を覆うことになる。それと共に、２つのロックレバー６′の係合爪１３′がロック片２７の２つの係合口２８の口縁に第１の方向Ａ１で係合し、その結果、レセプタクル２からのプラグ１の離脱が阻止される。即ち、プラグ１とレセプタクル２とが機械的に接続される。この場合、一枚のロック片２７が対のロック片２３と同様に被ロック部として働く。
【００３５】
プラグ側外部ハウジング１１の一部に形成した操作レバー２６を押圧操作することにより、ロックレバー６′とロック片２７との係合を解除することができる。したがって、プラグ１をレセプタクル２から離脱させることが容易に可能である。
【００３６】
図１０〜図１２を用いて説明した上述した接続装置によっても、同様にロックレバー６′及びロック片２７の機械的強度やロック強度を向上させることが容易である。しかも、パネル４に形成される接続用開口２４の寸法を必要最小限に抑えることで電気的特性の劣化を防止できる。
【００３７】
図１３を参照して、本発明のさらに他の実施形態に係る接続装置について説明する。前述と同様な部分については、同じ参照符号を付して説明を省略する。
【００３８】
図１３に示す接続装置においては、一対のロック片２３がコンタクトの配置方向の外側に位置することが、上述した実施形態と異なる部分である。
【００３９】
本実施例では、被係止部の形状は係合口２５，２８や切り欠き等の形状であるが、相手側の係止部の係合爪１３の形状（この場合には相手側がロック孔等の形状になる）にしても良く、被係止部の形状はどの様な形にしても良い。
【符号の説明】
【００４０】
１  プラグ
２  レセプタクル
３  基板
４  パネル
５  嵌合部
６、６′  ロックレバー（ロック部）
７  プラグ側内部ハウジング
８  プラグ側コンタクト
９  導電性のプラグ側シェル
１１  プラグ側外部ハウジング
１３、１３′  係合爪（係止部）
１４  被嵌合部
１５  レセプタクル側シェル
１６  レセプタクル側ハウジング
１７  レセプタクル側コンタクト
１８  シェル本体
１９  フランジ
２１  ボルト
２２  ナット
２３  ロック片（被ロック部）
２４  接続用開口
２５  係合口（被係止部）
２６  操作レバー
２７  ロック片（被ロック部）
２８  係合口（被係止部）
【図１】
2011090893.tif 000003
【図２】
2011090893.tif 000004
【図３】
2011090893.tif 000005
【図４】
2011090893.tif 000006
【図５】
2011090893.tif 000007
【図６】
2011090893.tif 000008
【図７】
2011090893.tif 000009
【図８】
2011090893.tif 000010
【図９】
2011090893.tif 000011
【図１０】
2011090893.tif 000012
【図１１】
2011090893.tif 000013
【図１２】
2011090893.tif 000014
【図１３】
2011090893.tif 000015